(57)【要約】【課題】簡単な構成で、携帯可能であり任意の場所で十分に高圧の圧縮空気を供給する簡易エアブロー装置を提供する【解決手段】炭酸飲料用のペットボトル１２と、ペットボトル１２の注ぎ口１３に気密に取り付けられる連結具２７と、連結具２７に連通する噴射装置１４を備える。噴射装置１４には、ペットボトル１２に連通する空気の通路が設けられた本体１６と、ペットボトル１２内の空気を噴射するノズル２５と、ノズル２５の外側面に設けられコンプレッサに着脱可能なコネクタ部２４と、ノズル２５からの噴射を開閉するレバー２８を有する。連結具２７の内面には、ペットボトル１２の注ぎ口１３の雄ねじに螺合される雌ねじと気密材を備える。【選択図】        図１
2004225593.tif 000002
【特許請求の範囲】
【請求項１】
炭酸飲料用のボトルと、上記ボトルの注ぎ口に気密に取り付けられる連結具と、上記連結具に連通する噴射装置が設けられ、上記噴射装置には、内側に上記ボトルに連通する空気の通路が設けられた本体と、上記ボトル内の空気を噴射する噴射口と、上記噴射口の外側面に設けられコンプレッサに着脱可能なコネクタ部と、上記噴射口を開閉する弁と、上記弁を操作するレバーが設けられていることを特徴とする簡易エアブロー装置。
【請求項２】
上記連結具の内面には、上記ペットボトルの注ぎ口の雄ねじに螺合される雌ねじと気密材が設けられていることを特徴とする請求項１記載の簡易エアブロー装置。
【発明の詳細な説明】
【０００１】
【発明の属する技術分野】
この発明は、携帯可能な簡易エアブロー装置に関する。
【０００２】
【従来の技術】
【特許文献１】特開平７−３１０６６６号公報
従来、エアブロー装置は、コンプレッサとコンプレッサに接続されるピストル形の噴射装置が設けられている。噴射装置は、例えば鋳造により形成されくの字形に折り曲げられた本体を備え、本体の折り曲げられた一方の部分は、手に保持される握り部であり、他方は噴射口を有する噴射部となる。本体の内側には、噴射口から長手方向に連続する空気通路が形成されている。空気通路の噴射口と反対の端部は、握り部の先端面に貫通し、そこにコネクタ部材が設けられている。コネクタ部材は、コンプレッサの空気供給口に着脱自在に接続されるものである。本体の中央付近には、握り部に対してその長手方向がほぼ平行に軸止されたレバーが設けられている。レバーの内側には、レバーの揺動方向に対してほぼ直角に位置し移動可能な押し棒が、本体の握り部から突出して設けられている。押し棒の本体内側端部には、本体内側の空気通路を開閉する弁が取り付けられている。押し棒は、外側に向かって付勢され、外側に位置するときは弁が閉じて空気通路を閉鎖し、押し棒を付勢力に抗して内側に移動させたときは弁が開いて空気通路を開放する。
【０００３】
このようなエアブロー装置の使用方法は、まず噴射装置のコネクタ部材をコンプレッサの空気噴射口に連結し、コンプレッサを作動させる。そして必要な場所に噴射口を向け、噴射装置のレバーを引くと、噴射装置の押し棒が押し込められて弁が開放され、コンプレッサから送られる高圧の空気が噴射口から噴射される。この高圧の空気により、鉋屑、大鋸屑、石の削り屑を吹き飛ばす等、目的の作業を行う。
【０００４】
【発明が解決しようとする課題】
上記従来の技術の場合、噴射装置にコンプレッサが連結されているため、屋根の上など高いところや、狭いところ等ではコンプレッサのホースが届かず、また電源が無い場所ではコンプレッサが使用できず、使用可能な場所が限られていた。コンプレッサと噴射装置の間に耐圧ホースを継ぎ足して延長することができるが、限界があった。また、噴射装置にコンプレッサが連結されていると作業の支障となる場合もある。
【０００５】
この発明は上記従来の問題点に鑑みてなされたものであり、簡単な構成で、携帯可能であり任意の場所で十分に高圧の圧縮空気を供給する簡易エアブロー装置を提供することを目的とする。
【０００６】
【課題を解決するための手段】
この発明は、炭酸飲料用のペットボトルやアルミボトル等のボトルと、上記ボトルの注ぎ口に気密に取り付けられる連結具と、上記連結具に連通する噴射装置が設けられている簡易エアブロー装置である。上記噴射装置には、内側にボトルに連通する空気の通路が設けられた本体と、上記ボトル内の空気を噴射する噴射口と、上記噴射口の外側面に設けられコンプレッサに着脱可能なコネクタ部と、上記噴射口を開閉する弁と、上記弁を操作するレバーが設けられている。
【０００７】
また、上記連結具の内面には、上記ボトルの注ぎ口の雄ねじに螺合される雌ねじと気密材が設けられている。
【０００８】
この発明の簡易エアブロー装置は、コネクタをコンプレッサに連結し、ボトル内に圧縮空気を充填し、任意の場所で噴射し、圧縮空気を供給する。無くなったら、再度コンプレッサで圧縮空気を充填し、繰り返し使用することができるものである。
【０００９】
【発明の実施の形態】
以下、この発明の実施形態について図面に基づいて説明する。図１、図２は、この発明の一実施形態を示すものであり、この実施形態の簡易エアブロー装置１０は、炭酸飲料が入れられていたＰＥＴ樹脂製のペットボトル１２に、噴射装置１４が取り付けられている。
【００１０】
噴射装置１４は、強化プラスチックの一体成形や鋳造により作られた本体１６から成る。本体１６は、くの字形に折り曲げられたピストル形であり、本体１６の一方の直線部分は手に保持される握り部１８となり、他方はペットボトル１２内の圧縮空気を噴射する噴射部２２となる。本体１６の内側には、本体の噴射部２２の先端面２２ａから握り部１８の先端面１８ａに連通する空気通路がもうけられている。
【００１１】
噴射部２２の先端面２２ａには、先端に向かって突出する円筒形のコネクタ部２４が取り付けられている。コネクタ部２４の外周面には、途中で小径部２６が形成され、市販のコンプレッサの空気供給口に連結される耐圧ホースのコネクタを利用したもので、図示しないコンプレッサ連結具にワンタッチで気密に取り付け可能な形状である。コネクタ部２４の内側には、空気通路に連通する先細な円筒形の噴射口であるノズル２５が設けられている。
【００１２】
握り部１８の先端面１８ａには、市販のペットボトル１２の注ぎ口１３に取り付け可能な形状の連結具２７が連通されている。連結具２７には、ペットボトル１２の注ぎ口１３を覆う円筒状の側面部２７ａが形成され、側面部２７ａの外側には滑り止めの溝部が形成されている。側面部２７ａの内周面には、注ぎ口１３の雄ねじに螺合される雌ねじが形成されている。連結部２７の内側には、本体１６の空気通路に連通する透孔が形成され、その周囲に図示しない気密材が設けられている。
【００１３】
本体１６の噴射部２２の基端部付近には、噴射部２２に対して直交する軸３０に軸止されたレバー２８が設けられている。レバー２８は、握り部１８に対してその長手方向がほぼ平行に位置し、レバー２８の、長手方向に対して直交する方向の断面形状はコの字形に形成され、コの字形の開口している部分が握り部１８側に位置している。
【００１４】
本体１６の握り部１８には、レバー２８に対向する位置に、レバー２８に向かって突出する押し棒３２が設けられている。押し棒３２は、レバー２８の揺動方向に移動可能に設けられ、押し棒３２の本体１６内側端部には、本体１６内側の空気通路を開閉する弁が取り付けられている。押し棒３２は、図示しない付勢手段により外側に付勢されている。押し棒３２が外側に位置するときは弁が閉じて空気通路を閉鎖し、レバー２８を引いて押し棒３２を付勢力に抗して内側に移動させたときは弁が開いて空気通路を開放する。本体１６の噴射部２２の上面には、環状の吊下部３４が一体に形成されている。
【００１５】
次にこの実施形態の簡易エアブロー装置１０の使用方法について説明する。先ず、簡易エアブロー装置１０の連結具２７を、適宜の大きさの市販炭酸飲料用ペットボトル１２の注ぎ口１３に、気密状態に螺合する。そして、簡易エアブロー装置１０のコネクタ部２４を、コンプレッサの空気噴射口に嵌合する。このとき、コンプレッサの空気供給口にはコネクタ部２４を気密に連結する連結具が設けられ、簡単に気密にすることができる。
【００１６】
そして、コンプレッサを作動させ、噴射装置１４のレバー２８を引いて空気通路の弁を開放し、コンプレッサによりペットボトル１２の内側に圧縮空気を充満させる。圧縮空気の圧力は、コンプレッサの設定により自由に変えることができる。炭酸飲料用のペットボトル１２は、８気圧程度に十分耐えることができる。ペットボトル１２内の空気が十分な圧力に達したとき、レバー２８を離して空気通路を閉鎖し、コンプレッサから外す。この状態で、ペットボトル１２の内側に圧縮空気の圧力が保持される。そして、簡易エアブロー装置１０を目的の場所に持っていく。例えば、屋根の上等の高いところや、狭いところ、電源が無いところ等である。使用時には、噴射装置１４のノズル２５を目的の位置に向け、レバー２８を引く。そうするとペットボトル１２内に充満する圧縮空気が、ノズル２５から噴射される。この圧縮空気により、目的の作用、例えば、鉋屑や大鋸屑、石の削り粉などを吹き飛ばす等に十分な強さである。
【００１７】
この実施形態の簡易エアブロー装置１０によれば、簡単な構造で圧縮空気を充満させて持ち運び、任意の場所で自由に圧縮空気を供給することができる。圧縮空気を充満させる容器はペットボトル１２を利用するため、安価で軽量である。炭酸飲料用のペットボトル１２は、８気圧程度の圧力に耐えるため、十分な圧力の圧縮空気を充満させることができる。コンプレッサとは空気を充填するとき以外は連結ぜす、また軽量であるため、作業性が良好であり、高い場所や狭い場所などに手軽に運び、圧縮空気を供給することができる。噴射装置１４にコネクタ部２４が設けられるため、コンプレッサから気密状態でロスが無く圧縮空気を入れることができる。ペットボトル１２内の圧縮空気を使い切った後、再度コンプレッサで空気を入れることができ、何回も使用することができ、廃棄物がでず環境に配慮したものとなる。
【００１８】
なお、この発明の簡易エアブロー装置は、上記実施形態に限定されるものではなく、噴射装置の素材や構造は、自由に変更可能である。ペットボトルの容量は自由に選択することができる。噴射装置のノズルは、長いノズル等、使用する場所に合わせて自由に変更可能である。また、ボトルはペット樹脂以外に、アルミニウム製のボトルでも良く、高圧に耐え得る市販ボトルであればよい。
【００１９】
【発明の効果】
この発明の簡易エアブロー装置は、簡単な構造で圧縮空気を充満させて持ち運び、任意の場所で圧縮空気を供給することができる。圧縮空気を充満させる容器は市販のボトルを利用するため安価で軽量であり、また、コンプレッサで繰り返し圧縮空気を充填して使用可能であるため、廃棄物がでず環境にも良い。
【図面の簡単な説明】
【図１】この発明の一実施形態の簡易エアブロー装置の正面図である。
【図２】この実施形態の簡易エアブロー装置の噴射装置の正面図である。
【符号の説明】
１０  簡易エアブロー装置
１２  ペットボトル
１３  注ぎ口
１４  噴射装置
１６  本体
１８  握り部
２２  噴射部
２４  コネクタ部
２５  ノズル
２６  小径部
２７  連結具
２８  レバー
３０  ピン
３２  押し棒
３４  吊下部
【図１】
2004225593.tif 000003
【図２】
2004225593.tif 000004